(57)【特許請求の範囲】
【請求項１】
被写体を撮像する撮像部と、
上記撮像部により撮像された画像を撮影画像として記録する記録部と、
複数種類のセンサ情報を取得し、取得した上記センサ情報が所定の撮影状況に該当するか否かを判定する情報取得・判定部と、
上記所定の撮影状況に対応したアイコンの画像を生成するアイコン生成部と、
上記アイコンの画像を上記撮影画像と合成した合成画像を生成する合成画像生成部と、
画像を表示する表示部と、
撮影の指示操作に従って、上記情報取得・判定部により撮影状況を検出し、上記アイコン生成部でアイコン画像を生成し、上記合成画像生成部により生成した上記合成画像を上記表示部に表示すると共に、上記記録部により上記撮影画像を記録するように制御する制御部と、
を有し、
さらに、
前記情報取得・判定部の１つとして、ＧＰＳ情報及び地図データベースを用いて当該撮影装置に予め登録した基準の位置データを基に、該撮影装置が前記基準の位置から移動した距離の情報を取得すると共に、距離の大きさに関する判定も行う位置取得・判定部が設けられ、
前記基準の位置からの距離の情報として近距離に相当する第１の距離範囲と、該第１の距離範囲より遠い遠距離に相当する第２の距離範囲を判定すると共に、さらに前記ＧＰＳ情報及び前記地図データベースから市街と郊外とを判定した情報を生成し、前記第１の距離範囲における市街と郊外とで異なる第１及び第２のアイコンを生成し、前記第２の距離範囲における市街と郊外とにおいても異なる第３及び第４のアイコンを生成することを特徴とする撮影装置。
【請求項２】
上記制御部は、上記情報取得・判定部が上記所定の撮影状況に該当すると判定した場合に上記合成画像を上記表示部に表示するように制御することを特徴とする請求項１に記載の撮影装置。
【請求項３】
さらに、上記撮影画像におけるローコントラスト領域を検出するローコントラスト検出部を有し、上記アイコン生成部は、検出された上記ローコントラスト領域に上記アイコンの画像を配置し、上記表示部は、上記ローコントラスト領域に上記アイコンの画像が配置された上記合成画像を表示することを特徴とする請求項１に記載の撮影装置。
【請求項４】
上記制御部は、上記ローコントラスト検出部が上記アイコンを配置可能とする条件を満たすローコントラスト領域を検出しない場合には、上記表示部に表示される上記撮影画像に上記アイコンの画像を表示しないように制御することを特徴とする請求項３に記載の撮影装置。
【請求項５】
さらに、上記情報取得・判定部により取得した上記センサ情報が所定の撮影状況に該当する場合に、上記所定の撮影状況に対応して予め用意されたアイコンの画像を格納するアイコン格納部を有し、上記アイコン生成部は、上記情報取得・判定部により取得された複数種類のセンサ情報が上記所定の撮影状況に該当する判定結果の場合に、上記アイコン格納部から上記所定の撮影状況に対応するアイコンの画像を読み出して、上記所定の撮影状況に対応する上記アイコンの画像を生成することを特徴とする請求項１に記載の撮影装置。
【請求項６】
さらに、被写体における顔部分を検出する顔検出部を有し、上記アイコン生成部は、上記撮影画像における上記顔検出部により検出された顔部分以外の領域に上記アイコンの画像を生成することを特徴とする請求項１に記載の撮影装置。
【請求項７】
上記情報取得・判定部は、上記撮影装置の位置又は移動距離、温度、水深若しくは高度、音声のセンサ情報と、日時に関する情報のうち、少なくとも２つ以上の情報を取得することを特徴とする請求項１に記載の撮影装置。
【請求項８】
さらに、上記情報取得・判定部は、上記撮影時の情報として、音声のセンサ情報を環境音の情報として取得し、上記アイコン生成部は、上記環境音の情報に対応したアイコンの画像を生成することを特徴とする請求項７に記載の撮影装置。
【請求項９】
さらに、上記アイコンの画像を表示又は生成する場合の優先度を設定する優先度設定部を有することを特徴とする請求項３又は６に記載の撮影装置。
【請求項１０】
上記制御部は、上記撮影画像の表示状態において上記アイコンの画像を合成して表示する第１の表示切替の制御、又は上記第１の表示切替の制御状態から上記アイコンを非表示に切り替える第２の表示切替の制御を行うことを特徴とする請求項９に記載の撮影装置。
【請求項１１】
撮影装置の撮影方法において、
撮影の指示操作に従って、被写体を撮像し、
複数種類のセンサ情報を取得し、取得した上記センサ情報が所定の撮影状況に該当するか否かを判定し、
上記所定の撮影状況に対応したアイコンの画像を生成し、
上記アイコンの画像を上記撮影画像と合成して合成画像を生成し、
上記合成画像を表示すると共に、上記撮像された画像を撮影画像として記録するように制御し、
さらに、
当該撮影装置に予め登録した基準の位置データから、ＧＰＳ情報及び地図データベースを用いて該撮影装置が前記基準の位置から移動した距離の情報も取得すると共に、距離の大きさに関する判定も行い、前記基準の位置からの距離の情報として近距離に相当する第１の距離範囲と、該第１の距離範囲より遠い遠距離に相当する第２の距離範囲を判定すると共に、さらに前記ＧＰＳ情報及び前記地図データベースから市街と郊外とを判定した情報を生成し、前記第１の距離範囲における市街と郊外とで異なる第１及び第２のアイコンを生成し、前記第２の距離範囲における市街と郊外とにおいても異なる第３及び第４のアイコンを生成することを特徴とする撮影装置の撮影方法。
【請求項１２】
撮影装置の制御部に、
撮影の指示操作に従って、被写体を撮像させる手順と、
複数種類のセンサ情報を取得し、取得した上記センサ情報が所定の撮影状況に該当するか否かを判定する手順と、
上記所定の撮影状況に対応したアイコンの画像を生成する手順と、
上記アイコンの画像を上記撮影画像と合成して合成画像を生成する手順と、
上記合成画像を表示させると共に、上記撮像された画像を撮影画像として記録するように制御するよう指示する手順と、
さらに、
前記撮影装置に予め登録した基準の位置データから、ＧＰＳ情報及び地図データベースを用いて前記撮影装置が前記基準の位置から移動した距離の情報も取得すると共に、距離の大きさに関する判定も行い、前記基準の位置からの距離の情報として近距離に相当する第１の距離範囲と、該第１の距離範囲より遠い遠距離に相当する第２の距離範囲を判定すると共に、さらに前記ＧＰＳ情報及び前記地図データベースから市街と郊外とを判定した情報を生成し、前記第１の距離範囲における市街と郊外とで異なる第１及び第２のアイコンを生成し、前記第２の距離範囲における市街と郊外とにおいても異なる第３及び第４のアイコンを生成する手順と、
を実行させるためのプログラム。
【発明の詳細な説明】
【技術分野】
【０００１】
本発明は、撮影装置の撮影状況を表すアイコンの画像を撮影画像に表示する撮影装置、撮影装置の撮影方法、及びプログラムに関する。
【背景技術】
【０００２】
近年、種々の機能を備えたデジタルカメラ等の撮影装置が広く普及している。また、表示部に各種の情報を表示する撮影装置も提案されている。  
例えば、従来例としての特開２００５−２６０７９８号公報には、表示部にスルー画像を表示し、その余白部分に撮影済み画像の撮影情報、例えば画像サイズ、シャッター速度、絞り値等や、最近撮影した数駒分の画像の撮影情報を表示することにより、ユーザに有効な情報を提供している。
【発明の概要】
【発明が解決しようとする課題】
【０００３】
上記従来例においては、撮影済みの撮影画像を鑑賞する場合において、シャッター速度、絞り値の撮影条件における具体的な数値読み取ることにより撮影条件を確認することができるが、撮影した場合の撮影状況を直感的に把握又は把握し易くするものにならない。
換言すると、上記従来例においては、撮影画像を鑑賞して撮影状況を把握しようとした場合、シャッター速度、絞り値等、カメラにより撮影する場合に必須に近い撮影条件の情報が羅列され、暑かった状況で撮影したり、郊外まで出かけて撮影したりしたような撮影状況を直感的に把握することが困難である。  
このため、鑑賞する場合において、撮影状況を直感的に把握し易くするような画像を表示できるような撮影装置が望まれる。  
本発明は上述した点に鑑みてなされたもので、撮影状況を直感的に把握し易くする撮影装置、撮影装置の撮影方法、及びプログラムを提供することを目的とする。
【課題を解決するための手段】
【０００４】
本発明の一態様による撮像装置は、被写体を撮像する撮像部と、上記撮像部により撮像された画像を撮影画像として記録する記録部と、複数種類のセンサ情報を取得し、取得した上記センサ情報が所定の撮影状況に該当するか否かを判定する情報取得・判定部と、上記所定の撮影状況に対応したアイコンの画像を生成するアイコン生成部と、上記アイコンの画像を上記撮影画像と合成した合成画像を生成する合成画像生成部と、画像を表示する表示部と、撮影の指示操作に従って、上記情報取得・判定部により撮影状況を検出し、上記アイコン生成部でアイコン画像を生成し、合成画像生成部により生成した合成画像を上記表示部に表示すると共に、上記記録部により撮影画像を記録するように制御する制御部と、を有し、さらに、当該撮影装置に予め登録した基準の位置データから、ＧＰＳ情報及び地図データベースを用いて該撮影装置が前記基準の位置から移動した距離の情報も取得すると共に、距離の大きさに関する判定も行う前記情報取得・判定部の１つとしての位置取得・判定部が設けられ、前記基準の位置からの距離の情報として近距離に相当する第１の距離範囲と、該第１の距離範囲より遠い遠距離に相当する第２の距離範囲を判定すると共に、さらに前記ＧＰＳ情報及び前記地図データベースから市街と郊外とを判定した情報を生成し、前記第１の距離範囲における市街と郊外とで異なる第１及び第２のアイコンを生成し、前記第２の距離範囲における市街と郊外とにおいても異なる第３及び第４のアイコンを生成する。
また、本発明の撮影装置の撮影方法において、撮影の指示操作に従って、被写体を撮像し、複数種類のセンサ情報を取得し、取得した上記センサ情報が所定の撮影状況に該当するか否かを判定し、上記所定の撮影状況に対応したアイコンの画像を生成し、上記アイコンの画像を上記撮影画像と合成して合成画像を生成し、上記合成画像を表示すると共に、上記撮像された画像を撮影画像として記録するように制御し、さらに、当該撮影装置に予め登録した基準の位置データから、ＧＰＳ情報及び地図データベースを用いて該撮影装置が前記基準の位置から移動した距離の情報も取得すると共に、距離の大きさに関する判定も行い、前記基準の位置からの距離の情報として近距離に相当する第１の距離範囲と、該第１の距離範囲より遠い遠距離に相当する第２の距離範囲を判定すると共に、さらに前記ＧＰＳ情報及び前記地図データベースから市街と郊外とを判定した情報を生成し、前記第１の距離範囲における市街と郊外とで異なる第１及び第２のアイコンを生成し、前記第２の距離範囲における市街と郊外とにおいても異なる第３及び第４のアイコンを生成する。
また、本発明のプログラムは、撮影装置の制御部に、撮影の指示操作に従って、被写体を撮像させる手順と、複数種類のセンサ情報を取得し、取得した上記センサ情報が所定の撮影状況に該当するか否かを判定する手順と、上記所定の撮影状況に対応したアイコンの画像を生成する手順と、上記アイコンの画像を上記撮影画像と合成して合成画像を生成する手順と、上記合成画像を表示させると共に、上記撮像された画像を撮影画像として記録するように制御するよう指示する手順と、さらに、前記撮影装置に予め登録した基準の位置データから、ＧＰＳ情報及び地図データベースを用いて前記撮影装置が前記基準の位置から移動した距離の情報も取得すると共に、距離の大きさに関する判定も行い、前記基準の位置からの距離の情報として近距離に相当する第１の距離範囲と、該第１の距離範囲より遠い遠距離に相当する第２の距離範囲を判定すると共に、さらに前記ＧＰＳ情報及び前記地図データベースから市街と郊外とを判定した情報を生成し、前記第１の距離範囲における市街と郊外とで異なる第１及び第２のアイコンを生成し、前記第２の距離範囲における市街と郊外とにおいても異なる第３及び第４のアイコンを生成する手順と、を実行させる。
【発明の効果】
【０００５】
本発明によれば、アイコンの画像を表示することにより、撮影状況を直感的に把握し易くすることができる。
【図面の簡単な説明】
【０００６】
【図１】図１は本発明の第１の実施形態の撮影装置としてのカメラの全体構成を示すブロック図。
【図２】図２はカメラの正面側の外観を示す斜視図。
【図３】図３は撮影画像及び撮影画像にアイコンを表示した合成画像を示す図。
【図４】図４は複数の情報から設定される暑さ、寒さを表すアイコンの具体例を示す図。
【図５】図５は自宅からの距離等の情報に応じて設定されるアイコンの具体例を示す図。
【図６】図６は水深、高度等の情報に応じて設定されるアイコンの具体例を示す図。
【図７】図７は町中の騒音等の音声情報に応じて設定されるアイコンの具体例を示す図。
【図８】図８は本実施形態におけるカメラ制御の処理手順を示すフローチャート。
【図９】図９は第１の実施形態の変形例における再生モードでの処理手順を示すフローチャート。
【図１０】図１０は図９の処理の場合における撮影画像の表示例を示す図。
【図１１】図１１は図９の処理により図１０の撮影画像にアイコンを表示した表示例を示す図。
【図１２】図１２は本発明の第２の実施形態のカメラの全体構成を示すブロック図。
【図１３】図１３は本発明の第２の実施形態における再生モードでの処理手順を示すフローチャート。
【図１４】図１４は図１３の処理における撮影画像の表示例を示す図。
【図１５】図１５は図１３の処理により図１４の撮影画像にアイコンを表示した表示例を示す図。
【図１６】図１６は第２の実施形態の第１変形例における再生モードでの処理手順を示すフローチャート。
【図１７】図１７は図１６の処理により撮影画像にアイコンを表示した表示例を示す図。
【図１８】図１８は第２の実施形態の第２変形例における再生モードでの処理手順を示すフローチャート。
【図１９】図１９は図１８の処理における撮影画像の表示例を示す図。
【図２０】図２０は図１８の処理により撮影画像にアイコンを表示した表示例を示す図。
【図２１】図２１は第２の実施形態の第３変形例における再生モードでの処理手順を示すフローチャート。
【発明を実施するための形態】
【０００７】
以下、図面を参照して本発明の実施形態を説明する。  
（第１の実施形態）
図１に示すように本発明の第１の実施形態の撮影装置としてのカメラ１は、被写体を撮像する撮像部２と、撮像部２により撮像した撮像画像に対して画像処理を行う画像処理部３ａを備えた制御部３とを有する。  
また、このカメラ１は、画像処理部３ａにより撮像画像に対する画像処理して生成された表示用の画像を表示する表示部４と、画像処理部３ａにより撮影画像に対して圧縮等の画像処理して生成された撮影画像を記録する記録部５と、操作者（ユーザ）が撮影指示を行うレリーズボタン等を備えた操作部６とを有する。  
上記画像処理部３ａは、記録部５に記録された撮影画像に対する再生の指示操作がされた場合には、再生の指示操作がされた圧縮された撮影画像を伸張等の画像処理を行い、表示部４に表示する。また、この画像処理部３ａは、撮影画像を生成する場合、色調整や、コントラストの補正等の画像処理も行う。
【０００８】
また、このカメラ１は、操作部６の他に、ユーザが指などでタッチすることにより、各種の指示操作や選択操作などを行うタッチパネル部７と、ユ−ザにより把持されたカメラ１の撮像又は撮影状態の姿勢を検出する姿勢検出部としての加速度センサ８とを有する。  
操作部６による指示操作の信号、タッチパネル部７によるタッチ操作による信号、加速度センサ８による検出信号は、制御部３に入力される。制御部３は、入力された信号に基づいて、対応する制御動作を行う。  
また、このカメラ１は、ユーザにより撮影の指示操作がされた撮影時の撮影状況における各種のセンサ情報を取得する各種のセンサからなる情報取得部と、取得した各種のセンサ情報（単に情報と略記）からそれぞれの撮影状況を判定したり、又は所定の撮影状況に該当するか否かを判定する状況判定部との機能を備えた情報取得・判定部９を有する。
【０００９】
この情報取得・判定部９は、撮影時におけるカメラ１の位置情報を取得し、取得した位置情報から位置に関する判定（地図上での位置等の判定）を行う位置取得・判定部９ａと、音声の情報を取得し、取得した音声情報から音声に関する判定（環境音等の判定）を行う音声取得・判定部９ｂと、温度の情報を取得し、取得して温度情報から温度に関する判定（所定温度以上に暑いか否か等の判定）を行う温度取得・判定部９ｃとを有する。  
位置取得・判定部９ａは、地球上の現在位置を調べるためのグローバル・ポジショニング・システム (Global Positioning System：ＧＰＳと略記)を構成するＧＰＳ受信機を位置センサとして備えている。このＧＰＳ受信機により取得した位置の情報（緯度、経度の情報）から、地名に変換するための地図データベース５ａ（図面では地図ＤＢと略記）を、例えば記録部５内に備えている。
【００１０】
また、この情報取得・判定部９は、撮影時におけるカメラ１の水深又は高度の情報を取得し、取得した水深又は高度の情報から水深又は高度に関する判定を行う水深・高度取得・判定部９ｄと、撮影時の日時の情報を取得し、取得した日時の情報から日時に関する判定を行う日時取得・判定部９ｅとを有する。  
また、情報取得・判定部９は、取得した各種の情報が、所定の撮影状況に対応する所定条件を満たすか否か、又は所定の撮影条件に該当するか否かの判定を行い、判定結果の情報を制御部３に出力する。  
この制御部３は判定結果の情報に基づいて、その所定条件に対応した、所定の撮影状況を直感的に把握（又は認識）し易くするための絵柄を記号化等して表したアイコンの画像を生成するアイコン生成部３ｂの機能を有する。
【００１１】
なお、情報取得・判定部９は、情報取得部と判定部とに分離した構成にしても良いし、例えば判定部の機能を制御部３が行う構成にしても良い。この場合には、情報取得部を構成する各種のセンサにより取得した各種の情報が制御部３内の判定部に入力され、この判定部は、各種の情報が所定の撮影状況に対応した所定条件を満たすか否かを判定する。  
上記制御部３は、生成したアイコンの画像（以下、単にアイコンと略記）と、撮影画像とを合成して合成画像を生成する合成画像生成部３ｃの機能を有する。この合成画像生成部３ｃにより生成された合成画像は、記録部５に記録されると共に、表示部４で表示することもできる。なお、アイコン生成部３ｂの機能を合成画像生成部３ｃが兼ねる構成にしても良いし、アイコン生成部３ｂが合成画像生成部３ｃの機能を兼ねる構成にしても良い。
【００１２】
なお、アイコン生成部３ｂは、情報取得・判定部９による判定結果の情報に基づいて、所定条件に対応するアイコンを生成する場合、以下のようにしても良い。  
例えば記録部５は、一部の記録領域（格納領域）に予め用意したアイコンを格納したアイコン格納部としてのアイコンデータベース５ｂを有し、アイコン生成部３ｂは、所定条件に対応するアイコンを読み出すことにより、所定条件に対応するアイコンを生成するようにしても良い。なお、記録部５の内部にアイコンデータベース５ｂを形成しないで、例えばアイコン生成部３ｂ内に、アイコン格納部としてのアイコンデータベース５ｂを設ける構成にしても良い。  
アイコン生成部３ｂが情報取得・判定部９による各種の情報に対応したアイコンを生成する場合、各種の情報毎に、予め登録などして用意されている複数のアイコンから、撮影状況に対応したアイコンを選択することにより、所定の撮影状況又は所望の撮影状況に対応するアイコンを生成又は表示することができるようにしても良い。
【００１３】
このようにアイコンデータベース５ｂを備えた構成にすることにより、アイコン生成部３ｂは、それぞれの撮影状況又は所定の撮影状況に対応した所定条件に対応したアイコンを選択的に読み出することによって、簡単かつ迅速に、撮影状況に適したアイコンを生成し、（表示部４で表示）することができる。  
また、タッチパネル部７からの操作により、アイコンデータベース５ｂに、新たなアイコンを登録したり、変更したりすることもできる。  
なお、以下では所定の撮影状況に対して、対応するアイコンを用意して表示する場合を説明するが、所定の撮影状況に限らず、任意の撮影状況に対応したアイコンを用意して、そのアイコンを表示することができるようにしても良い。
【００１４】
また、本実施形態においては、表示部４に表示された合成画像におけるアイコン部分にタッチすることにより、タッチパネル部７は、タッチしたアイコンの位置情報を制御部３に送る。そして、制御部３は、タッチされたアイコンの意味又は内容（アイコンに対応する所定条件や、各種センサで取得した情報の内容など）を表示部４において表示するように制御する。  
また、上記制御部３は、撮影画像にローコントラスト（ローコンと略記）の領域としてのローコン領域を検出するローコン検出部３ｄを有する。  
そして、制御部３は、アイコンを生成する場合、ローコン領域に生成したアイコンを配置する。つまり、撮影画像にアイコンを配置して合成画像を生成する場合、撮影画像におけるローコン領域にアイコンを配置して合成画像を生成する。
【００１５】
一方、ローコン領域が無い場合には、撮影画像にはアイコンが生成されないことになる。換言すると、本実施形態における制御部３は、ローコン領域の有無により、撮影画像にアイコンを加えて表示する第１の画像表示と、撮影画像にアイコンを表示しない第２の画像表示との切替を行う表示制御部（又は切替制御部）３ｅの機能を有する。  
図２は、カメラ１の外観を示す。カメラ１の略箱形形状のケース１１の中央付近には、撮像部２を構成する撮影レンズ２ａを取り付けたレンズ鏡筒が配置され、撮影レンズ２ａの結像位置に図示しない撮像素子が配置されている。撮影レンズ２ａと撮像素子とにより撮像部２が形成される。撮影レンズ２ａの斜め上方付近には、フラッシュ撮影するフラッシュ発光装置１２が設けてある。
【００１６】
また、ケース１１の上面には撮影の指示操作を行うレリーズボタン６ａが配置されている。なお、カメラ１における背面側には、表示部４を形成する液晶ディスプレイが設けてあり、ユーザは、表示部４に表示される撮像画像を観察して撮影操作等を行う。また、上記タッチパネル部７は、表示部４にタッチセンサを設けて形成されている。  
また、本実施形態においては、例えば地図データベース５ａには、カメラ１の所有者の住居となる自宅の位置データが、タッチパネル部７等からの入力操作により予め登録することができるようにしてある。また、位置取得・判定部９ａは、カメラ１の所有者の自宅の位置データから、カメラ１が、自宅の位置から移動した距離の情報も取得すると共に、距離（の大きさ）に関する判定も行う。
【００１７】
本発明に係る撮像装置としてのカメラ１は、被写体を撮像する撮像部２と、撮影の指示操作に従って上記撮像部２により撮像された画像を撮影画像として記録する記録部５と、上記撮影画像として記録する場合の撮影時における複数種類のセンサ情報を取得し、取得した上記センサ情報が所定の撮影状況に該当するか否かを判定する情報取得・判定部９と、上記所定の撮影状況に対応したアイコンの画像を生成するアイコン生成部３ｂと、上記アイコンの画像を上記撮影画像と合成した合成画像を生成する合成画像生成部３ｃと、を有し、上記合成画像を表示部４によって表示可能にしたことを特徴とする。
【００１８】
このような構成のカメラ１における動作を具体的に説明する。図３における（Ａ）及び（Ｂ）は、ユーザが家族で外出した場合に本実施形態のカメラ１で撮影した撮影画像例を示す。  
また、図３（Ｃ）は、図３（Ｂ）の撮影状況における撮影画像の場合に、その撮影状況に対応したアイコンを追加して合成した合成画像例を示す。  
図３（Ａ）の撮影画像においては、この撮影画像を鑑賞した場合、晴天の状態で、家族数人が撮影されているため、誰と出かけたか、どんな天気であったかの撮影状況を思い出したり把握することが簡単にできる。しかし、図３（Ｂ）のように１人だけの人物しか写っていない撮影画像Ｉａの場合には、撮影時の状況が分かり難くなる。
【００１９】
本実施形態においては、特に図３（Ｂ）の場合においては、その撮影画像Ｉａに対して、図３（Ｃ）に示すようにアイコン２１ａ，２２ｃを生成して、合成画像Ｉｃとして表示する。また、この合成画像Ｉｃを記録部５にも記録する。  
アイコン２１ａは、晴天の撮影状況を表す太陽と、汗をかいた様子を簡略な絵柄に表してアイコン化したものである。従って、ユーザは、このアイコン２１ａから、暑い撮影状況で撮影したものであることを直感的に把握し易くする。  
また、アイコン２２ｃは、旅行カバンの絵柄でアイコン化して表示した例である。ユーザは、このアイコン２２ｃを見ることにより、自宅から外出して旅行した場合の撮影状況であることを直感的に把握し易くする。このように撮影画像には直接、現れない撮影状況を直感的に把握し易くするためのアイコンを表示することにより、ユーザは、撮影状況を直感的に把握し易くなる。
【００２０】
図３で示したアイコン２１ａ、２２ｃ等は、図４及び図５に示すように各種の情報から、所定の撮影状況に対応する所定条件を満たす（又は該当する）場合に、予め採用するアイコンとして用意されている。換言すると、取得された各種の情報が所定条件を満たす場合に、アイコンとして採用される（図４等では採用アイコンと略記）。そして、これらのアイコンがアイコンデータベース５ｂに格納されている。  
図４では、日時情報から取得される６月〜９月及び１１月〜２月の季節情報と、（ＧＰＳ受信機から取得した）位置情報から判定された北半球と南半球の領域判定情報（ＧＰＳ情報）と、（温度取得・判定部９ｃの温度取得部による）温度情報から例えば３５°Ｃ以上と５°Ｃ以下の条件に該当する温度判定結果の場合に、それぞれ暑さ、寒さに対応したアイコン２１ａ、２１ｂが用意されている。なお、アイコン２１ｂは、人が寒さで震えている様子を示すものであり、このアイコン２１ｂを見ることにより、直感的に寒い撮影状況であることを把握し易くする。
【００２１】
図４の例では異なる複数種類の情報が、所定の撮影状況に対応する所定条件を満たす場合に、１つのアイコンを生成するようにしている。  
また、図５では、自宅からの距離の情報として例えば近距離に相当する第１の距離範囲としての２０ｋｍ〜１００ｋｍの範囲と、遠距離に相当する第２の距離範囲としての１００ｋｍ以上を判定すると共に、さらにＧＰＳ情報及び地図データベース５ａとから市街と郊外とを判定した情報を生成する。  
そして、例えば第１の距離範囲における市街と郊外とで異なる旅行ケースとしての旅行カバンとリュックサックのアイコン２２ａ，２２ｂを用意し、第２の距離範囲における市街と郊外とにおいても旅行カバン及び遠方まで出かけたことを示す山のアイコン２２ｃ、２２ｄを用意する。
【００２２】
なお、地図データベース５ａのデータベースの内容が充実している場合には、実際に出かけた位置周辺に特有なマークをアイコン化しても良い。この場合には、アイコン生成部３ｂがアイコンを生成する場合、アイコンデータベース５ｂに格納したアイコンから所定条件に対応するアイコンを読み出し、そのアイコンにさらに地図データベース５ａから読み出した上記位置周辺に特有のマークを追加する等して加工してアイコンを生成するようにしても良い。  
また、図３の撮影画像においては示していないが、水深と高度の情報とから図６に示すように所定条件を満たす場合に、その所定条件に対応したアイコンを採用する。
【００２３】
水深・高度取得・判定部９ｄを構成する図示しない水深センサにより計測される水深の計測結果が０〜１０ｍの範囲と１０ｍ以上の範囲を判定し、１０ｍ以下の範囲ではスノーケルを表したアイコン２３ａ、１０ｍ以上の範囲では深海魚を表したアイコン２３ｂを採用する。  
また、水深・高度取得・判定部９ｄを構成する図示しない高度センサにより計測される高度の計測結果が１０００ｍ以上（で３０００ｍ未満）の範囲と３０００ｍ以上の範囲を判定し、１０００ｍ以上の範囲では山と高山植物を表したアイコン２３ｃ、３０００ｍ以上の範囲では雪で覆われた山頂を表したアイコン２３ｄを採用する。
【００２４】
この他に、音声取得・判定部９ｂにより音声として環境音を取得し、取得した環境音の周波数分析による判定結果に基づいて、町中の場合の環境音（騒音、複数の車の音等）に該当する判定の場合には、図７（Ａ）に示すように町中を絵柄にして表したアイコン２４ａを採用する。  
また、音声取得・判定部９ｂにより音声を取得し、取得した音声が人が発した音声であると判定した場合には、人をアバター化した図７（Ｂ）のアイコン２４ｂを採用しても良い。この場合、撮影画像には写らなかった人をアバター化したアイコン２４ｂを採用しても良い。  
次に図８のフローチャートを参照して本実施形態のカメラ１によりカメラ制御の処理手順例を説明する。
【００２５】
カメラ１の電源が投入されると、カメラ１の制御部３はカメラ１の各部の動作を制御するカメラ制御の動作を開始する。  
最初のステップＳ１において制御部３は、このカメラ１が撮影モードに設定されているか、又は撮影モードを選択する操作がされているか否かの判定を行う。撮影モードの設定又は選択に該当する場合には、次のステップＳ２において制御部３は、撮像部２により撮像された撮像画像を表示部４で表示するように制御する。図８ではスルー画像表示と略記。  
また、この場合、ステップＳ３に示すように情報取得・判定部９は、その状況における各種の情報を取得すると共に、取得した各種の情報から状況判定を行う。
【００２６】
次のステップＳ４において制御部３は、ユーザにより撮影操作が行われたか否かの判定を行う。撮影操作が行われた判定結果の場合には、ステップＳ５に示すように制御部３は、撮影画像等のデータを記録部５に記録する処理を行うように制御する。  
そして、ステップＳ６に示すように制御部３は、撮影時の操作を反映したデータ（撮影反映データ）を撮影画像のデータに付与する。  
また、ステップＳ７に示すように制御部３は、情報取得・判定部９により判定された状況判定のデータを取得し、撮影画像のデータに付与する。また、ステップＳ８に示すように制御部３は、情報取得・判定部９により取得された時計データ（日時データ）を撮影画像のデータに付与する。
【００２７】
また、ステップＳ９に示すように制御部３は、ステップＳ６−Ｓ８で取得したデータを記録ファイルにファイル化、つまり記録ファイル化して、記録部５に記録する。  
なお、ステップＳ６、Ｓ９の撮影反映データを撮影画像のデータに付与して記録ファイル化する代わりに、撮影反映データを撮影画像のデータに関連付けた状態で、記録部５に別々に記録しても良い（ステップＳ７とＳ９又はステップＳ８とＳ９に関しても同様）。  
ステップＳ９の処理により生成された記録ファイルには、例えばステップＳ７の処理に基づいて、撮影画像の撮影状況に対応して状況判定のデータから、図４〜図７で説明したように特定のアイコン（採用アイコン）が決定される。このようにして、記録部５には撮影画像のデータと、その撮影画像に関連付けたデータとが記録ファイルとして記録される。
【００２８】
この記録ファイルは、撮影画像が記録された記録ファイルのデータベースとなる。ステップＳ９の処理の後、ステップＳ１の処理に戻る。  
ステップＳ４において撮影操作がされていない場合には、ステップＳ１０において制御部３は、撮影モードから他のモードに変更するスイッチ操作がされたか否かの判定を行う。  
このスイッチ操作が行われない場合には、ステップＳ１の処理に戻り、スイッチ操作が行われた場合には次のステップＳ１１の処理に移る。  
ステップＳ１１において制御部３は、スイッチ操作を反映した制御動作を行った後、ステップＳ１の処理に戻る。
【００２９】
ステップＳ１において撮影モードでない判定結果の場合には、ステップＳ１２において制御部３は、再生モードの設定か否かの判定を行う。再生モードの設定でない場合には、ステップＳ１の処理に戻り、再生モードの設定の場合には次のステップＳ１３に進む。  
ステップＳ１３において制御部３は、表示部４において記録部５に記録されている撮影画像のファイルを一覧表示する。記録部５に撮影画像が複数枚、ファイル化されている場合には、縮小された縮小画像としてのサムネイル画像により、一覧表示する。  
次のステップＳ１４において制御部３は、一覧表示された撮影画像のサムネイル画像に対する選択操作が行われたか否かを判定する。選択操作が一定期間されていないと、ステップＳ１の処理に戻る。
【００３０】
ユーザは、拡大表示して鑑賞しようと思うサムネイル画像がある場合には、そのサムネイル画像を指でタッチして選択する。  
選択の操作が行われると、サムネイル画像の縮小表示の状態から選択画像が通常表示のサイズに拡大されて表示部４で表示される。ステップＳ１５に示すように制御部３（のローコン検出部３ｄ）は、この選択画像の背景にローコン領域が有るか否かを判定する。  
ローコン領域が有る判定結果の場合には、ステップＳ１６に示すように制御部３は、選択画像の背景にローコン領域の面積から表示可能なアイコン数を決定する。  
表示部４の表示サイズにも異存するが、アイコンを表示する表示サイズとして例えば５０×５０ドット程度の画素数が必要であり、また、カメラ１における表示面では１ｃｍ四方位の大きさが必要になる。
【００３１】
このため、表示部４の分解能や、面積によって、表示できるアイコン数は異なる。そして、上記ステップＳ１６では、ローコン領域の面積が１ｃｍ四方を有する場合に、アイコン数を決定する。なお、選択画像を拡大しない状態でその背景におけるローコン領域の面積から表示可能なアイコン数を決定しても良い。  
次のステップＳ１７において制御部３のアイコン生成部３ｂは、選択画像のローコン領域にアイコンを配置する。そして、ステップＳ１８に示すように制御部３の合成画像生成部３ｃにより選択画像（撮影画像）にアイコンを合成する。つまり、表示部４において撮影画像にアイコンを加えて合成画像として表示する。この場合の表示例は、図３（Ｃ）のようになる。
【００３２】
また、次のステップＳ１９に示すように制御部３は、タッチパネル部によりアイコンがタッチされたか否かを判定する。タッチされた場合には、ステップＳ２０に示すように制御部３は、タッチされたアイコンの説明を、所定時間（例えば５秒程度）行うように制御し、所定時間後に説明の表示を終了する。  
仮に、アイコンの表示によっても撮影状況が分かりにくい場合には、そのアイコンにタッチする操作を行うことにより、そのアイコンの撮影状況を具体的に説明を行うようにしているので、ユーザに対する利便性を確保することができる。  
ステップＳ１９においてタッチされない場合及びステップＳ２０の処理の後、ステップＳ２２に進む。
【００３３】
ステップＳ１５においてローコン領域が無い場合には、ステップＳ２１に示すように制御部３は、選択画像のみで拡大表示する制御を行う。このように、ローコン領域が無い場合には、制御部３は、アイコンを有しない選択画像（撮影画像）のみを表示するように制御する。  
図８においては、ローコン領域の検出の有無に従って、制御部３（の表示制御部３ｅ）は、ローコン領域が有る検出結果の場合には表示部４に撮影画像と共に、そのローコン領域にアイコンを表示する表示制御を行うと共に、ローコン領域が無い検出結果の場合には表示部４に撮影画像のみを表示する表示制御を行う。
【００３４】
なお、ローコン領域が検出された場合においても、アイコンを表示する場合の最小領域のサイズよりも小さい場合には、ローコン領域が無い場合と同様の表示制御となる。ステップＳ２１の後、ステップＳ２２において制御部３は、再生終了の操作がされるのを待つ。再生終了の操作がされると、ステップＳ１の処理に戻る。  
このように動作する本実施形態のカメラ１によれば、例えば図３（Ｃ）のように合成画像が表示されるので、撮影画像を鑑賞する場合、アイコン２１ａ、２２ｃなどから撮影状況を直感的に把握することが容易となる。  
従って、本実施形態によれば、撮影画像を鑑賞する場合、撮影状況を直感的に把握することが容易となる効果を有する。  
また、撮影画像には現れない撮影状況の場合にも、その撮影状況を表すアイコンによりユーザは撮影状況を直感的に把握することが容易となる。  
なお、図８においては、ステップＳ１６においてアイコン数の決定を行うようにしているが、ステップＳ５以降で行うようにしても良い。
【００３５】
なお、同じ日に撮影した複数枚の撮影画像を再生する場合には、何度も同じアイコンが出てくる（表示される）場合には、目障りになる可能性がある。このため、スライドショーを行う場合には、同じ日に撮影されたもので、最もローコン領域が大きいもののみに、アイコンを表示するように、制御部３がアイコンの表示制御を行うようにしても良い。  
次に図９を参照して、図８の変形例におけるアイコンを合成表示する場合の再生モードの説明を行う。  
再生モードに設定された場合、ステップＳ３１において制御部３は、ユーザによる撮影画像の再生指示に対応して、記録部５における記録ファイルのデータベースにアクセスする。  
次のステップＳ３２において制御部３は、記録ファイルのデータベースにおける再生指示された撮影画像に関する各種のタブ情報を読み込む。
【００３６】
次のステップＳ３３において制御部３は、撮像された撮像画像を再生画像として表示部４に表示するように制御する。図１０はステップＳ３３の撮影画像Ｉｄの表示例を示す。  
次のステップＳ３４において制御部３は、ユーザが撮影画像をイメージとして把握できる程度の時間として予め設定されている所定時間（例えば２〜３秒）経過したかの判定を行う。この所定時間が経過した場合には、ステップＳ３５において制御部３は、撮影画像における背景部分にローコン領域が有るか否かの判定を行う。なお、ステップＳ３５の判定処理を、ステップＳ３３とＳ３４の間で行うようにしても良い。  
ローコン領域が有る判定結果の場合には、次のステップＳ３６において制御部３は、ローコン領域にアイコンを配置して、合成画像を表示部４で表示するように制御した後、ステップＳ３８に進む。図１１は、ステップＳ３６の撮影画像とアイコンとを合成した合成画像Ｉｅの表示例を示す。
【００３７】
図１０及び図１１において、背景部分における点線で示す木はローコン領域に属するため、アイコン２１ａ，２２ｃが上書きして表示される。  
一方、ステップＳ３４において所定時間が経過していない場合及びステップＳ３５のローコン領域が無い判定の場合には、ステップＳ３７に進み、このステップＳ３７において制御部３は、ステップＳ３３における表示部４に表示した撮影画像を継続して表示させるように制御して、ステップＳ３８の処理に移る。  
ステップＳ３８において制御部３は、別の撮影画像が選択されたか否かの判定を行い、別の撮影画像が選択された場合には、ステップＳ３１の処理に戻り、逆に撮影画像が選択されない場合には、次のステップＳ３９に進む。
【００３８】
ステップＳ３９において制御部３は、再生終了の操作がされたか否かの判定を行い、再生終了の操作がされない場合には、ステップＳ３１の処理に戻り、逆に再生終了の操作がされた場合には、図８のステップＳ１２の処理に戻る。  
このように本変形例においては、制御部３（の表示制御部３ｅ）は、撮影画像を表示した後、所定時間が経過後に、その撮影画像の表示状態からその背景部分にアイコンを表示するように表示切替の制御を行う。従って、撮影画像を鑑賞するユーザは、撮影画像のイメージを確認した位の時間後に、撮影状況を直感的に表すアイコンが表示される表示状態に切り替わるため、撮影状況の把握が容易にできる。なお、表示制御部３ｅが以下のように表示切替の制御を行うようにしても良い。  
図９のフローチャートにおいては、撮影画像を表示した後、所定時間の経過後にアイコンを表示する例を示したが、その逆の表示切替、つまり撮影画像にアイコンを表示した後、所定時間の経過後において表示したアイコンを非表示（撮影画像のみを表示）する表示切替を行うようにしても良い。
【００３９】
また、図９のように表示部４において撮影画像を表示した後、所定時間の経過後にアイコンを表示し、このアイコンの表示後の第２の所定時間後に、表示したアイコンを非表示にする表示切替を行うようにしても良い。  
この第２の所定時間として、アイコンにより撮影状況の把握ができる時間以上に設定すれば良い。また、ユーザが第２の所定時間の値を可変設定できるようにしても良い。この場合には、アイコンの表示により、ユーザは撮影状況が把握でき、その撮影状況の把握後にアイコンが非表示になるため、ユーザによる撮影画像を鑑賞する場合の表示内容の選択肢を広げることができる。換言すると、広範囲のユーザの要望に対応することができる。その他、第１の実施形態の場合と同様の効果を有する。
【００４０】
（第２の実施形態）
次に本発明の第２の実施形態を説明する。図１２は本発明の第２の実施形態のカメラ１Ｂの構成を示す。  
本実施形態のカメラ１Ｂは、図１のカメラ１において、制御部３は被写体を撮影した場合に人物の顔部分が存在するか否かを検出する顔検出部３ｆと、アイコンを表示する場合、表示するアイコンの優先度を予め設定する優先度設定部３ｇとを有する。  
なお、このアイコンの優先度を設定する場合、タッチパネル部７を操作する等してユーザは、表示するアイコンの優先度を設定することができる。その他の構成は、図１と同様である。なお、優先度設定部３ｇにより、アイコン生成部３ｂが生成するアイコンの優先度を設定する場合に適用しても良い。
【００４１】
次に図１３を参照して本実施形態におけるカメラ１Ｂ再生モードの処理手順を説明する。なお、再生モード以外は、図８と同様の処理手順である。  
再生モードに設定された場合、最初のステップＳ４１において制御部３は、ユーザによる撮影画像の再生指示に対応して、記録部５における記録ファイルのデータベースにアクセスする。  
次のステップＳ４２において制御部３は、記録ファイルのデータベースにおける再生指示された撮影画像に関する各種のタブ情報を読み込む。  
次のステップＳ４３において制御部３は、撮像された撮像画像を表示部４に表示するように制御する。図１４はステップＳ４３の撮影画像Ｉｆの表示例を示す。
【００４２】
次のステップＳ４４において制御部３（の顔検出部３ｆ）は、撮影画像に顔（部分）検出有りか否かの判定を行う。顔検出有りの場合には次のステップＳ４５において制御部３は、検出した顔部分以外の領域にアイコンを配置する。  
アイコンを配置することにより、ステップＳ４６に示すように制御部３は、撮影画像にアイコンを加えた合成画像を表示部４で表示するように制御した後、ステップＳ４９の処理に進む。図１５は、ステップＳ４６により撮影画像にアイコン２１ａ，２４ａ，２４ｂを加えた合成画像Ｉｇの表示例を示す。  
一方、ステップＳ４４において顔検出が無い場合にはステップＳ４７において制御部３は、撮影画像における任意箇所にアイコンを配置する。さらにステップＳ４８において制御部３は、合成画像を表示部４で表示するように制御した後、ステップＳ４９に進む。
【００４３】
ステップＳ４９において制御部３は、別の撮影画像が選択されたか否かの判定を行い、別の撮影画像が選択された場合には、ステップＳ４１の処理に戻り、逆に撮影画像が選択されない場合には、次のステップＳ５０に進む。  
ステップＳ５０において制御部３は、再生終了の操作がされたか否かの判定を行い、再生終了の操作がされない場合には、ステップＳ４１の処理に戻り、逆に再生終了の操作がされた場合には、図８のステップ１２の処理に戻る。  
このように動作する本実施形態によれば、図１４に示すように顔検出有りの撮影画像の場合には、検出された顔部以外の領域にアイコンを配置して合成画像として表示するようにしている。
【００４４】
従って、人物を撮影したような場合においては、人物における主要な部分となる顔部分以外にアイコンを表示するため、人物の表情が分かり難くなることなく、撮影状況を直感的に把握し易くできる。  
図１６は変形例における再生モードの処理手順を示す。再生モードに設定された場合、ステップＳ５１において制御部３は、ユーザによる撮影画像の再生指示に対応して、記録部５における記録ファイルのデータベースにアクセスする。  
次のステップＳ５２において制御部３は、記録ファイルのデータベースにおける再生指示された撮影画像に関する各種のタブ情報を読み込む。  
次のステップＳ５３において制御部３は、撮像された撮像画像を表示部４に表示するように制御する。例えば、図１０はステップＳ５３の撮影画像Ｉｄの表示例を示す。
【００４５】
次のステップＳ５４において制御部３は、撮影画像における背景部分にローコン領域が有るか否かの判定を行う。  
ローコン領域が有る判定結果の場合には、次のステップＳ５５において制御部３は、ローコン領域の面積に入るアイコン数を演算し、ローコン領域の面積に入るアイコン数を決定する。  
その後、次のステップＳ５６において制御部３は、予め設定された優先順位に基づきローコン領域にアイコンを配置する。つまり、優先順位の高いアイコンを優先してローコン領域に配置する。図１７は、ステップＳ５６の処理により図１０の撮影画像の場合においてローコン領域にアイコン２１ａ，２２ｃ，２２ｄが配置された合成画像Ｉｈの例を示す。
【００４６】
このようにして、ステップＳ５７に示すように制御部３は、撮影画像におけるローコン領域にアイコンを配置した合成画像を表示部４で表示するように制御した後、ステップＳ５９に進む。  
一方、ステップＳ５４においてローコン領域が無い判定の場合には、ステップＳ５８に進み、このステップＳ５８において制御部３は、表示部４に撮影画像を継続して表示させるように制御して、ステップＳ５９の処理に移る。  
ステップＳ５９において制御部３は、別の撮影画像が選択されたか否かの判定を行い、別の撮影画像が選択された場合には、ステップＳ５１の処理に戻り、逆に撮影画像が選択されない場合には、次のステップＳ６０に進む。
【００４７】
ステップＳ６０において制御部３は、再生終了の操作がされたか否かの判定を行い、再生終了の操作がされない場合には、ステップＳ５１の処理に戻り、逆に再生終了の操作がされた場合には、図８のステップ１２の処理に戻る。  
このように本変形例においてはアイコンを表示する場合、優先度の高いアイコンを優先して表示するようにしているので、限られた数のアイコンしか表示できない場合、優先度の高いアイコンを確実に表示できる。  
図１８は第２変形例による再生モードの処理手順を示す。図１８のフローチャートは図１６のフローチャートにおいてステップＳ５５，Ｓ５６の代わりに、ステップＳ６１及びＳ６２の処理を行うように置換している。また本変形例においては、ステップＳ５３の撮影画像として、例えば図１９の撮影画像Ｉｉを表示する。
【００４８】
ステップＳ５４において制御部３が撮影画像の背景にローコン領域有りか否かの検出（判定）を行い、ローコン領域が有りと判定（検出）した場合には、ステップＳ６１において制御部３は、ローコン領域が分布している各位置を算出する。  
次のステップＳ６２において制御部３は、ステップＳ５４により算出された位置の情報を参照して、撮影画像におけるローコン領域にアイコンを配置する。アイコンを配置する場合において、ローコン領域における撮影画像の四隅及び（表示部４の表示面の）周辺部から優先してアイコンを配置するように制御する。  
そして、次のステップＳ５７に示すように制御部３は、（ステップＳ６２の配置方法に従って）撮影画像にアイコンを加えた合成画像を表示する。
【００４９】
図２０は本変形例により撮影画像にアイコン２１ａ，２２ｃ，２２ｄ，２４ｂを追加して合成した合成画像Ｉｊの表示例を示す。  
その他の処理は、図１６の場合と同様である。撮影画像は殆どの場合、撮影画像の中央部が撮影者が最も撮影したいと希望する主要部となる設定で撮影されているので、本変形例によれば、アイコンを撮影画像の周辺部側から優先して配置することにより、主要部がアイコンによって欠けたり、遮られるようなことを防止できる。  
また、このようにアイコンを配置することにより、アイコンが撮影画像の表示の妨げになることも防止できる。
【００５０】
図２１は、第３変形例によるアイコンの表示を行う処理内容を示す。本変形例は、例えば図１６の処理手順におけるステップＳ５５−Ｓ５７の代わりにステップＳ７１−７３を行うように変更した処理を行うようにしている。  
具体的にはステップＳ５４において、撮影画像の背景にローコン領域が有るか否かの判定を行う。そして、ローコン領域が有りの場合には、次にステップＳ７１において制御部３は、この撮影画像の場合に表示予定のアイコン数を算出する。  
さらに、次のステップＳ７２において制御部３は、ローコン領域における所定領域において、表示予定のアイコン数のアイコンを時間的に順次変更して配置する。  
そして、ステップＳ７３に示すように撮影画像に表示するアイコンを時間的に変更した合成画像を表示する。
【００５１】
ステップＳ７２及びＳ７３においては、撮影画像に表示するアイコンを例えば所定の時間の経過毎に所定の順序で順次変更する。そして、表示予定のアイコン数を全て表示した場合には、再び最初に表示する予定のアイコンから同様の表示を繰り返し行う。ステップＳ７３の処理の後、ステップＳ５９の処理に移る。なお、検出されたローコン領域の面積に応じて、同時に表示するアイコン数を複数にしても良い。  
このようにな表示を行うことにより、ローコン領域が小さい場合においても、表示予定のアイコンを表示することが可能になる。なお、ローコン領域として、帯状の領域を確保できる場合には、帯状のローコン領域に表示予定のアイコンを移動させながら順次表示するようにしても良い。  
また、上述の説明においては、アイコンデータベース５ｂ内に格納したアイコンを適宜に読み出して表示部４で表示に採用するアイコンの例で説明したが、以下のようにしても良い。  
アイコンデータベース５ｂ内に、アイコンの素材のみを記録して、撮影状況に応じてアイコン生成部３ｂがアイコンの素材を組み合わせて表示に採用する新しいアイコンを生成したり、ユーザが手動操作で、自分に似た（アバター化した）アバター画像を作り、そのアバター画像を表示に採用するアイコンにしても良い。また、このアバター画像をアイコンデータベース５ｂ内に記録できるようにしても良い。  
上述した実施形態及び変形例等を部分的に組み合わせる等して構成される実施形態も本発明に属する。
【符号の説明】
【００５２】
１、１Ｂ…カメラ、２…撮像部、３…制御部、３ａ…画像処理部、３ｂ…アイコン生成部、３ｃ…合成画像生成部、３ｄ…ローコン検出部、３ｅ…表示制御部、３ｆ…顔検出部、４…表示部、５…記録部、５ａ…地図ＤＢ、５ｂ…アイコンＤＢ、６…操作部、７…タッチパネル部、８…加速度センサ、９…情報取得・状況判定部、９ａ…位置取得・判定部、９ｂ…音声取得・判定部、９ｃ…温度取得・判定部、９ｄ…水深・高度取得・判定部、９ｅ…日時取得・判定部
【先行技術文献】
【特許文献】
【００５３】
【特許文献１】特開２００５−２６０７９８号公報
【図１】
0005570923.tif 000002
【図２】
0005570923.tif 000003
【図３】
0005570923.tif 000004
【図４】
0005570923.tif 000005
【図５】
0005570923.tif 000006
【図６】
0005570923.tif 000007
【図７】
0005570923.tif 000008
【図８】
0005570923.tif 000009
【図９】
0005570923.tif 000010
【図１０】
0005570923.tif 000011
【図１１】
0005570923.tif 000012
【図１２】
0005570923.tif 000013
【図１３】
0005570923.tif 000014
【図１４】
0005570923.tif 000015
【図１５】
0005570923.tif 000016
【図１６】
0005570923.tif 000017
【図１７】
0005570923.tif 000018
【図１８】
0005570923.tif 000019
【図１９】
0005570923.tif 000020
【図２０】
0005570923.tif 000021
【図２１】
0005570923.tif 000022